(57)【要約】【課題】特注品のオーダーがあった時に、特注品の受け渡しの誤認を防止する。【解決手段】会計処理データＤに、特注品の情報が含まれている場合に、特注品を示すラベルデータ及び、ラベルデータと会計処理データＤとを関連付けるための照合データを作成し、ラベルプリンター６を用いて、ラベルデータと、照合データが印刷されたラベルを発行し、レシートプリンター５を用いて、会計処理データと、ラベルプリンター６で作成されたものと同じ照合データが印刷されたレシートを発行する。【選択図】図３
2014206953.tif 000002
【特許請求の範囲】
【請求項１】
レシートプリンター及びラベルプリンターを用い、レシート及び前記レシートに関連したラベルの発行方法であって、
会計処理データを受信し、
前記会計処理データに、所定の情報が含まれている場合に、前記所定の情報に基づきラベルデータを作成し、
前記ラベルデータと、前記会計処理データとを関連付けるための照合データを作成し、
前記ラベルプリンターを用いて、前記ラベルデータと前記照合データとが印刷されたラベルを発行し、
前記ラベルが発行される場合、前記レシートプリンターを用いて、前記会計処理データと前記照合データとが印刷されたレシートを発行することを特徴とするレシート及び前記レシートに関連したラベルの発行方法。
【請求項２】
前記ラベルプリンターが前記会計処理データを受信し、前記会計処理データに前記所定の情報が含まれている場合に、前記照合データを作成し、
前記照合データを、前記レシートプリンターに送信することを特徴とする請求項１に記載のレシート及び前記レシートに関連したラベルの発行方法。
【請求項３】
前記所定の情報は、商品の内容物の有無または増減に関する文字列であり、
前記ラベルは、前記商品が特別注文を表す特注品ラベルであることを特徴とする請求項１または２に記載のレシート及び前記レシートに関連したラベルの発行方法。
【請求項４】
会計処理データを送信するホストと、
前記会計処理データを受信し、前記会計処理データに所定の情報が含まれている場合に、前記所定の情報に基づきラベルデータを作成するラベルデータ作成手段と、
前記ラベルデータと、前記会計処理データとを関連付けるための照合データを作成する照合データ作成手段と、
前記ラベルデータと前記照合データとが印刷されたラベルを発行するラベルプリンターと、
前記会計処理データと前記照合データとが印刷されたレシートを発行するレシートプリンターと、を備えたことを特徴とするレシート及び前記レシートに関連したラベルの発行システム。
【請求項５】
前記ラベルプリンターが前記会計処理データを受信し、前記会計処理データに前記所定の情報が含まれている場合に、
前記照合データを作成し、前記照合データを、前記レシートプリンターに送信する送信手段を備えていることを特徴とする請求項４に記載のレシート及び前記レシートに関連したラベルの発行システム。
【請求項６】
前記所定の情報は、商品の内容物の有無または増減に関する文字列であり、
前記ラベルは、前記商品が特別注文を表す特注品ラベルであることを特徴とする請求項４または５に記載のレシート及び前記レシートに関連したラベルの発行システム。
【請求項７】
ホストから送信された会計処理データを受信し、前記会計処理データに所定の情報が含まれている場合に、前記所定の情報に基づきラベルデータを作成するラベルデータ作成手段と、
前記ラベルデータと、前記会計処理データとを関連付けるための照合データを作成する照合データ作成手段と、
前記ラベルデータと前記照合データとが印刷されたラベルを発行する印刷手段と、
前記照合データを、レシートプリンターに送信する送信手段と、を備えたことを特徴とするラベルプリンター。
【請求項８】
前記所定の情報は、商品の内容物の有無または増減に関する文字列であり、
前記ラベルは、前記商品が特別注文を表す特注品ラベルであることを特徴とする請求項７に記載のラベルプリンター。
【発明の詳細な説明】
【技術分野】
【０００１】
本発明は、レシート及び前記レシートに関連したラベルの発行方法、レシート及び前記レシートに関連したラベルの発行システム、及び、ラベルプリンターに関する。
【背景技術】
【０００２】
ハンバーガーショップなどのファーストフード店の店内は、客室と厨房に区切られている。顧客による商品の注文は、客室に設置されている注文カウンターで受け付けられ、商品の調理は厨房で行われる。このようなファーストフード店のオーダーエントリーシステムは、注文カウンターに設置されたＰＯＳレジスターおよびレシートプリンターと、厨房に設置されたプリンターあるいはディスプレイとを備えている。
【０００３】
ＰＯＳレジスターには注文された商品の情報が入力される。入力情報に基づき、ＰＯＳレジスターは代金の清算を行い、代金の清算が済むと、取引データである会計処理データを生成してレシートプリンターに送信する。レシートプリンターは、会計処理データを受信してレシートを印刷して発行する。また、ＰＯＳレジスターは、代金の清算が済むと、入力された商品の情報に基づいて生成した調理指示情報を、厨房に設置されているプリンターあるいはディスプレイに送信する。厨房側のプリンターは、受信した調理指示情報を印刷出力し、ディスプレイは調理指示情報を画面に表示する。厨房では、調理指示情報に従って調理が行われる。出来上がった商品は包装され、厨房から客室に運ばれて顧客に渡される。
【０００４】
近年、ファーストフード店では、顧客の嗜好の多様化に対応するために、商品の内容物を変更する特別注文を受け付けている。例えば、ハンバーガーについて、「ピクルス抜き」、「マスタード抜き」、「レタス抜き」、「マヨネーズなし」などの特別注文を受け付けている。これら特別注文の情報は注文された商品の情報と一緒にＰＯＳレジスターに入力されて、調理指示情報として厨房に伝えられる。厨房では、特別注文のハンバーガーの調理が通常のハンバーガーの調理と並行して行われる。
【０００５】
特別注文のハンバーガーと通常のハンバーガーとは外観では見分けが付かない。このため、厨房では各特別注文の情報を表示する特注品ラベルを用意し、調理した商品を包装する際に特注品ラベルを貼り付け、外観からも特注品であることが判別できるようにしている。これにより、顧客への商品の渡し間違いを防止している。
【０００６】
しかし、特別注文の種類が増加すると、予め準備しなければならない特注品ラベルの種類も増加する。これに伴い、多数の種類の特注品ラベルの準備、保管、在庫の確認などの管理作業に充てられる労力も増大する。
【０００７】
特注品ラベルの在庫管理を不要にするには、ＰＯＳレジスターに特別注文の情報が入力される毎に、厨房に設置したプリンターから特注品ラベルを発行することが考えられる。すなわち、ＰＯＳレジスターで特注品ラベルを発行するためのラベルデータを生成し、このラベルデータを厨房のプリンターに送信し、当該プリンターにおいて特注品ラベルを印刷して発行する。しかし、このような特注品ラベルの発行は、ＰＯＳレジスター上で動作する既存のアプリケーションプログラムに変更を加える必要がある。このため、特注品ラベルを発行するための導入コストが嵩んでしまうという問題がある。
【０００８】
本発明者等は、特許文献１において、このような問題点を解消するための方法およびシステムを提案している。この方法およびシステムでは、ＰＯＳレジスターと連携してレシートを印刷するレシートプリンターが、ＰＯＳレジスターから取引データ（会計処理データ）を受信し、このデータに特別注文の情報が含まれている場合には特注品ラベルを発行するためのラベルデータを生成し、生成したラベルデータを厨房等に設置されているラベルプリンターに送信する。ラベルプリンターは、ラベルデータを受信すると、特注品ラベルを印刷して発行する。これにより、商品の注文を受けて会計処理を行う上位機器で動作しているアプリケーションプログラムに変更を加えることなく、レシート発行の際に、特別注文の情報を表示する特注品ラベルを発行することができる。
【先行技術文献】
【特許文献】
【０００９】
【特許文献１】特開２００９−１９９５８８号公報
【発明の概要】
【発明が解決しようとする課題】
【００１０】
従来のシステムでは、ＰＯＳレジスター、即ちレシートプリンターが数台店舗カウンターに設置されており、厨房には１，２台のラベルプリンターが設置され、各ＰＯＳレジスターで注文を受けた特注品のラベルを印刷することになる。このため、複数の特注品が複数の顧客から、同時期に注文されると、発行されるレシートと特注品ラベルの関係がわからず、特注品の受け渡しが正確に行われず、店舗で混乱が生じるおそれがあった。
【００１１】
また、ＰＯＳレジスターだけでなく、レシートプリンターに対する変更を必要とすることなく、ラベルプリンターから特注品ラベルを発行できるようにすることが望まれる場合がある。例えば、ＰＯＳレジスターおよびレシートプリンターを備えた既存のＰＯＳシステムを用いて、簡単に、特注品ラベルを発行できるようにすることが望まれる場合がある。
【課題を解決するための手段】
【００１２】
本発明は、上述の課題の少なくとも一部を解決するためになされたものであり、以下の形態または適用例として実現することが可能である。
【００１３】
（適用例１）レシートプリンター及びラベルプリンターを用い、レシート及び前記レシートに関連したラベルの発行方法であって、会計処理データを受信し、前記会計処理データに、所定の情報が含まれている場合に、前記所定の情報に基づきラベルデータを作成し、前記ラベルデータと、前記会計処理データとを関連付けるための照合データを作成し、前記ラベルプリンターを用いて、前記ラベルデータと前記照合データとが印刷されたラベルを発行し、前記ラベルが発行される場合、前記レシートプリンターを用いて、前記会計処理データと前記照合データとが印刷されたレシートを発行することを特徴とするレシート及び前記レシートに関連したラベルの発行方法。
【００１４】
この方法によれば、商品の注文を受けて、ＰＯＳレジスターのアプリケーション上で会計処理が行われ、その会計処理データが出力される。出力された会計処理データを受信し、その会計処理データに、特注品のオーダーがあった場合に、照合データが作成され、照合データが記された特注品ラベルが、ラベルプリンターによって印刷される。このように作成された照合データは、レシートプリンターにも送信され、その特注品を含む会計処理データと共に、レシートプリンターで印刷される。
【００１５】
照合データは、例えば、発行ごとに増加するシリアル番号であってもよいし、いくつかの記号を準備し、繰り返し変えていくようにしてもよく、店員が特注品と、その特注品が含まれるレシートを識別できればよい。照合データがついた特注品ラベルは、制作された特注品に貼られ、ＰＯＳレジスターが置かれた注文カウンターに運ばれる。既に発行されているレシートにも、その特注品に対応する照合データが印刷されており、特注品を顧客に受け渡す際の誤認を防止することができる。
【００１６】
（適用例２）前記ラベルプリンターが前記会計処理データを受信し、前記会計処理データに前記所定の情報が含まれている場合に、前記照合データを作成し、前記照合データを、前記レシートプリンターに送信することを特徴とする上記のレシート及び前記レシートに関連したラベルの発行方法。
【００１７】
この方法によれば、ＰＯＳレジスターから出力される会計処理データは、ラベルプリンターによって受信される。その会計処理データに、特注品のオーダーがあった場合に、ラベルプリンターが照合データを作成し、照合データが記された特注品ラベルが、ラベルプリンターによって印刷される。ラベルプリンター側で照合データを作成するようにしたので、照合データを作成するために、ＰＯＳレジスター上で動作する既存のアプリケーションプログラムに変更を加える必要がない。
【００１８】
（適用例３）前記所定の情報は、商品の内容物の有無または増減に関する文字列であり、前記ラベルは、前記商品が特別注文を表す特注品ラベルであることを特徴とする上記のレシート及び前記レシートに関連したラベルの発行方法。
【００１９】
この方法によれば、ＰＯＳレジスターから出力される会計処理データに、例えば、調味料の有無、増減を示す文字列があった場合に、特注品ラベルが作成されるとともに、照合データが作成される。この照合データは、特注品ラベルに印刷され、特別注文の商品を含むレシートにも印刷される。調味料の有無、増減の注文があった商品に貼られた特注品ラベルに記された照合データと、レシートに記された照合データを照合することにより、特注品を顧客に受け渡す際の誤認を防止することができる。
【００２０】
（適用例４）会計処理データを送信するホストと、前記会計処理データを受信し、前記会計処理データに所定の情報が含まれている場合に、前記所定の情報に基づきラベルデータを作成するラベルデータ作成手段と、前記ラベルデータと、前記会計処理データとを関連付けるための照合データを作成する照合データ作成手段と、前記ラベルデータと前記照合データとが印刷されたラベルを発行するラベルプリンターと、前記会計処理データと前記照合データとが印刷されたレシートを発行するレシートプリンターと、を備えたことを特徴とするレシート及び前記レシートに関連したラベルの発行システム。
【００２１】
このシステムによれば、商品の注文を受けて、ＰＯＳレジスターのアプリケーション上で  会計処理が行われ、その会計処理データが出力される。出力された会計処理データを受信し、その会計処理データに、特注品のオーダーがあった場合に、照合データが作成され、照合データが記された特注品ラベルが、ラベルプリンターによって印刷される。このように作成された照合データは、レシートプリンターにも送信され、その特注品を含む会計処理データと共に、レシートプリンターで印刷される。
【００２２】
照合データは、例えば、発行ごとに増加するシリアル番号であってもよいし、いくつかの記号を準備し、繰り返し変えていくようにしてもよく、店員が特注品と、その特注品が含まれるレシートを識別できればよい。照合データがついた特注品ラベルは、制作された特注品に貼られ、ＰＯＳレジスターが置かれた注文カウンターに運ばれる。既に発行されているレシートにも、その特注品に対応する照合データが印刷されており、特注品を顧客に受け渡す際の誤認を防止することができる。
【００２３】
（適用例５）前記ラベルプリンターが前記会計処理データを受信し、前記会計処理データに前記所定の情報が含まれている場合に、前記照合データを作成し、前記照合データを、前記レシートプリンターに送信する送信手段を備えていることを特徴とする上記のレシート及び前記レシートに関連したラベルの発行システム。
【００２４】
このシステムによれば、ＰＯＳレジスターから出力される会計処理データは、ラベルプリンターによって受信される。その会計処理データに、特注品のオーダーがあった場合に、ラベルプリンターが照合データを作成し、照合データが記された特注品ラベルが、ラベルプリンターによって印刷される。ラベルプリンター側で照合データを作成するようにしたので、照合データを作成するために、ＰＯＳレジスター上で動作する既存のアプリケーションプログラムに変更を加える必要がない。
【００２５】
（適用例６）前記所定の情報は、商品の内容物の有無または増減に関する文字列であり、前記ラベルは、前記商品が特別注文を表す特注品ラベルであることを特徴とする上記のレシート及び前記レシートに関連したラベルの発行システム。
【００２６】
この方法によれば、ＰＯＳレジスターから出力される会計処理データに、例えば、調味料の有無、増減を示す文字列があった場合に、特注品ラベルが作成されるとともに、照合データが作成される。この照合データは、特注品ラベルに印刷され、特別注文の商品を含むレシートにも印刷される。調味料の有無、増減の注文があった商品に貼られた特注品ラベルに記された照合データと、レシートに記された照合データを照合することにより、特注品を顧客に受け渡す際の誤認を防止することができる。
【００２７】
（適用例７）ホストから送信された会計処理データを受信し、前記会計処理データに所定の情報が含まれている場合に、前記所定の情報に基づきラベルデータを作成するラベルデータ作成手段と、前記ラベルデータと、前記会計処理データとを関連付けるための照合データを作成する照合データ作成手段と、前記ラベルデータと前記照合データとが印刷されたラベルを発行する印刷手段と、前記照合データを、レシートプリンターに送信する送信手段と、を備えたことを特徴とするラベルプリンター。
【００２８】
（適用例８）前記所定の情報は、商品の内容物の有無または増減に関する文字列であり、前記ラベルは、前記商品が特別注文を表す特注品ラベルであることを特徴とする上記のラベルプリンター。
【００２９】
これらの構成によれば、ラベルプリンターは、ホストから出力された会計処理データを受信し、その会計処理データに、特注品のオーダーがあった場合に、ラベルデータ作成手段によって、ラベルデータが作成される。また、照合データ作成手段によって、ラベルデータと、会計処理データとを関連付けるための照合データが作成される。このように作成された照合データは、レシート上に印刷するために、送信手段によって、レシートプリンターにも送信される。
【００３０】
送信された照合データは、会計処理データとともに、レシートプリンターで印刷されることになる。照合データがついた特注品ラベルは、制作された特注品に貼られ、レジに運ばれるが、レシートにも特注品に対応する照合データが印刷されるため、店員が特注品を顧客に受け渡す際に、容易に照合でき、商品の受け渡しにおける誤認を防止することができる。
【図面の簡単な説明】
【００３１】
【図１】オーダーエントリーシステムの概略構成図。
【図２】本発明を適用したレシート発行処理システムのブロック図。
【図３】図２のレシート、ラベルの発行処理動作のフローチャート。
【発明を実施するための形態】
【００３２】
以下に、図面を参照して、本発明を適用したデータ印刷処理システムの実施の形態を説明する。本実施の形態に係るデータ印刷処理システムは、例えば、ハンバーガーショップなどのファーストフード店におけるオーダーエントリーシステムの一部分として構成されるレシート発行システムである。本発明は、レシート発行システム以外のデータ印刷処理システムとしても同様に用いることができる。
【００３３】
（オーダーエントリーシステム）
図１は、本発明を適用したレシート発行システムが組み込まれたオーダーエントリーシステムの概略構成図である。オーダーエントリーシステム１は、商品の注文を受けて代金の清算を行うＰＯＳレジスター２と、このＰＯＳレジスター２に、それぞれ、ＵＳＢ（ユニバーサル・シリアル・バス）ケーブル３、４で並列に接続された第１プリンターとしてのレシートプリンター５および第２プリンターとしてのラベルプリンター６を備えている。また、オーダーエントリーシステム１は、ＰＯＳレジスター２にケーブル７で接続されたディスプレイ８を備えている。
【００３４】
レシートプリンター５は、代金の清算の際に、ＰＯＳレジスター２によって生成された会計処理データＤを受信し、会計処理データに基づきレシートＡを発行する。ラベルプリンター６は、代金の清算の際に、ＰＯＳレジスター２によって生成された会計処理データＤを受信し、会計処理データに特別注文の情報が含まれている場合に、特注品ラベルＢを発行する。
【００３５】
ＰＯＳレジスター２およびレシートプリンター５は、例えば、ハンバーガーショップの客室９Ａに設けられている注文カウンターに設置される。ディスプレイ８およびラベルプリンター６は、例えば、ハンバーガーショップの厨房９Ｂに設けられたカウンターに設置される。レシートプリンター５およびラベルプリンター６は、レシート発行処理システム１０の構成部分である。
【００３６】
ＰＯＳレジスター２は、商品の注文を受け付けて会計処理を行うアプリケーションプログラムが動作しているコンピューターである。ＰＯＳレジスター２は、タッチパネル２１からなる表示・操作部と、顧客に情報を表示するための表示部２２と、代金の清算を行うための金銭処理部２３を備えている。注文カウンターで顧客が商品の注文を行うと、従業員によってタッチパネル２１が操作され、注文された商品の情報がＰＯＳレジスター２に入力される。
【００３７】
以下に、オーダーエントリーシステム１の動作の概要を説明する。タッチパネル２１には、例えば、「ハンバーガー」、「チーズバーガー」、「ポテト」、「サラダ」、「コーヒー」などの商品の一覧が表示されている。従業員は、顧客の注文を確認しながら、注文された商品のアイコンにタッチして、商品の情報を入力する。商品のアイコンをタッチすると、タッチパネル２１には、各商品について内容物を変更する特別注文の一覧が表示される。例えば、「ハンバーガー」や「チーズバーガー」が注文されると、タッチパネル２１には、「ピクルス抜き」、「マスタード抜き」、「レタス抜き」、「マヨネーズなし」、「マヨネーズ増量」、「マヨネーズ減量」、などを示すアイコンが表示される。商品の注文に引き続いて、顧客がこれらの特別注文を行った場合には、従業員は該当するアイコンにタッチして特別注文の情報を入力する。ここでは、例えば、「チーズバーガー１個」、「ピクルス抜き」、「ハンバーガー１個」、「コーヒー１個」という情報が入力される。
【００３８】
顧客が商品の代金を清算し、従業員がタッチパネル２１の清算キーにタッチすると、ＰＯＳレジスター２は、入力された商品の情報に基づいて会計処理データＤを生成し、この会計処理データを、レシートプリンター５およびラベルプリンター６の双方に送信する。ＰＯＳレジスター２によって生成された会計処理データＤには、注文された商品の商品名、個数などの商品に関する情報と、清算された合計金額とが含まれている。また、特別注文が受け付けられている場合には、その特別注文の情報が、会計処理データＤに含まれている。
【００３９】
また、ＰＯＳレジスター２は、入力された商品の情報および特別注文の情報に基づいて調理指示データを生成し、この調理指示データを厨房９Ｂに設置されているディスプレイ８に出力する。ディスプレイ８には、商品として、「チーズバーガー１個」が表示され、特別注文の情報として、「ピクルス抜き」が表示される。また、その他に調理が必要な商品として「ハンバーガー１個」情報が表示される。厨房９Ｂを担当する従業員はディスプレイ８の表示に従って調理を行い、商品を準備する。なお、コーヒーは注文カウンターに設置されているコーヒーサーバーを利用して客室側で準備される。
【００４０】
レシートプリンター５は、ＰＯＳレジスター２から会計処理データＤを受信すると、会計処理データに基づいて、レシートＡを発行する。レシートＡには、注文された商品名、その商品の個数、その商品について行われた特別注文の情報ａ１、および、合計金額が印刷される。また、特別注文があった場合に作成される照合データａ２もレシートＡ上に印刷される。
【００４１】
ラベルプリンター６は、ＰＯＳレジスター２から特別注文の情報を含む会計処理データＤを受信すると、特注品ラベルＢを発行するためのラベルデータを生成し、生成したラベルデータが印刷された特注品ラベルＢを発行する。ここでは、「ピクルス抜き」と印刷された特注品ラベルＢを発行するためのラベルデータが生成され、「ピクルス抜き」と印刷された特注品ラベルＢが発行される。特注品ラベルＢには、特別注文の情報ｂ１が印刷される。
【００４２】
また、ラベルデータが生成される際に、ラベルプリンター６によって、照合データも生成される。照合データは、例えば、発行ごとに増加するシリアル番号であってもよいし、いくつかの記号を準備し、繰り返し変えていくようにしてもよく、店員が特注品と、その特注品が含まれるレシートとを照合できればよい。特注品ラベルＢには、このように作成された照合データｂ２も、印刷される。
【００４３】
ラベルプリンター６によって生成された照合データは、レシートプリンター５に送信される。照合データは、ＰＯＳレジスター２、ＵＳＢケーブル３，４を介して送信されてもよいし、これらを介さずに、無線通信手段によって、ラベルプリンター６から直接レシートプリンター５に送信されるようにしてよい。照合データを受信したレシートプリンター５は、ＰＯＳレジスター２から受信した注文された商品名、その商品の個数、その商品について行われた特別注文の情報ａ１、および、合計金額とともに、照合データａ２もレシートＡ上に印刷する。
【００４４】
厨房９Ｂを担当する従業員は、調理された特別注文の商品を包装する際に、この特注品ラベルＢを貼り付ける。これにより、包装された商品の外観からでも、その商品が特注品であることを判別できる。次に、調理指示された商品の準備が全て整うと、これらは注文カウンターに運ばれる。そして、会計、商品の受け渡しを担当する従業員は、特注品を注文カウンターにおいて準備されていたコーヒー等特注品以外に注文された商品とレシートと一緒に、顧客に渡し、代金が顧客から渡される。特注品には、照合データがついた特注品ラベルＢが貼られ、発行されているレシートＡにも、その特注品に対応する照合データが印刷されており、特注品を顧客に受け渡す際の誤認を防止することができる。
【００４５】
（レシート発行処理システム）
図２はレシート発行処理システム１０の制御系を示す概略ブロック図である。レシート発行処理システム１０は、レシートプリンター５およびラベルプリンター６を備えている。
【００４６】
レシートプリンター５は、ロール紙から繰り出される長尺状の記録紙Ｐ１（図１参照）に印刷を行うラインサーマルプリンターである。レシートプリンター５の制御系は、ＣＰＵ、ＲＯＭ、ＲＡＭを備えた制御部５０を中心に構成されている。制御部５０には、通信インターフェイス５１を介して、ＰＯＳレジスター２から会計処理データＤが供給される。ＰＯＳレジスター２から会計処理データＤを受信するデータ受信部は、通信インターフェイス５１および制御部５０によって構成される。制御部５０の出力側には、ヘッドドライバー５２、モータードライバー５３を介して、ライン型サーマルヘッド５４、紙送りモーター５５が接続されている。会計処理データＤ及び後述する照合データを受信すると、制御部５０は、これらを駆動制御してレシートＡ（図１参照）を発行する。
【００４７】
ラベルプリンター６は記録紙Ｐ２（図１参照）に印刷を行う。本例のラベルプリンター６は、所謂、スティキーラベルプリンターと呼ばれるプリンターであり、ロール紙から繰り出される裏面が粘着面となっている長尺状の記録紙に印刷を行い、印刷ジョブの終了毎に記録紙を切断し、切断後の記録紙片を特注品ラベルＢとして発行する。
【００４８】
ラベルプリンター６の制御系は、ＣＰＵ、ＲＯＭ、ＲＡＭを備えた制御部６０を中心に構成されている。制御部６０には、通信インターフェイス６１を介して、ＰＯＳレジスター２から会計処理データＤが供給される。通信インターフェイス６１および制御部６０によって、ＰＯＳレジスター２から会計処理データＤを受信するデータ受信部が構成される。制御部６０は、受信した会計処理データＤの中に、所定の情報である特別注文の情報が含まれているか否かを判別する所定情報判別部としての特別注文判別部６３と、特別注文の情報を表示する特注品ラベルＢ（図１参照）を作成するためのラベルデータを生成するラベルデータ生成部６４とを備えている。更に制御部６０には、会計処理データＤの中に、所定の情報である特別注文の情報が含まれている場合に、照合データを生成する照合データ生成部７２を備えている。
【００４９】
制御部６０には、不揮発性メモリー６５が接続されている。不揮発性メモリー６５には、会計処理データＤの中に含まれている特別注文の情報を識別するための複数のキーコードが予め記憶保持されている。キーコードは、例えば「ケチャップ有り」、「ピクルス抜き」、「マスタード抜き」、「レタス抜き」、「マヨネーズなし」、「マヨネーズ増量」、「マヨネーズ減量」などの特別注文の情報を示す文字列に対応するコードである。特別注文判別部６３は、受信した会計処理データＤの中に、これらのキーコードに一致する文字列を検出すると、受信した会計処理データＤの中に特別注文の情報が含まれていると判別する。
【００５０】
会計処理データＤが特別注文の情報を含む会計処理データであると判別された場合には、ラベルデータ生成部６４は、会計処理データに含まれている特別注文の情報から、キーコードを含む文字列を抽出して、ラベルデータを生成する。
【００５１】
制御部６０の出力側には、ヘッドドライバー６６、モータードライバー６７、カッタードライバー６８を介して、ライン型サーマルヘッド６９、紙送りモーター７０、記録紙カッター７１が接続されている。制御部６０は、これらを駆動制御して、生成したラベルデータ及び照合データを記録紙に印刷し、印刷後の記録紙を切断して、特注品ラベルＢを発行する。
【００５２】
照合データ生成部７２によって生成された照合データは、通信インターフェイス６１を介してＰＯＳレジスター２を介して、レシートプリンター５に送信される。レシートプリンター５の通信インターフェイス５１が、照合データを受信すると、制御部５０が、ヘッドドライバー５２、モータードライバー５３を介して、ライン型サーマルヘッド５４、紙送りモーター５５を駆動し、事前に受信していた会計処理データＤと、照合データを長尺状の記録紙Ｐ１上に印刷し、レシートＡ（図１参照）が発行される。
【００５３】
このように、本実施例では、レシートの発行は、照合データの受信をトリガーに、事前に受信した会計処理データＤと照合データを印刷している。会計処理データＤ内に、特別注文が含まれていない場合は、照合データが作成されない。このような場合であっても、レシートプリンター５のレシート発行のトリガーとするために、ダミーの照合データ（空データ）をラベルプリンター６からレシートプリンター５に送信するようにすれば、特別注文の有り無しに関わらず、レシートが、所定のタイミングで発行される。
【００５４】
（レシート発行処理動作）
図３はレシート発行処理システム１０のレシート発行処理動作を示すフローチャートである。図２および図３を参照して、レシート発行処理システム１０により行われるレシート発行処理動作を説明する。
【００５５】
レシート発行処理システム１０におけるラベルプリンター６の不揮発性メモリー６５には、特別注文の情報を識別するための複数のキーコードが記憶保持される。例えば「ケチャップ有り」、「ピクルス抜き」、「マスタード抜き」、「レタス抜き」、「マヨネーズなし」、「マヨネーズ増量」、「マヨネーズ減量」などの文字列を示すコードがキーコードとして記憶保持される。
【００５６】
オーダーエントリーシステム１（図１参照）が稼動すると、レシートプリンター５はデータ待ち状態になり、ＰＯＳレジスター２から会計処理データＤが送信されてくるのを待つ。ラベルプリンター６もデータ待ち状態になり、同様に、ＰＯＳレジスター２から会計処理データＤが送信されてくるのを待つ。
【００５７】
顧客によって商品の代金が清算されると、ＰＯＳレジスター２では会計処理データＤが生成される。生成された会計処理データＤは、ＰＯＳレジスター２からレシートプリンター５およびラベルプリンター６のそれぞれに送信される。また、図１に示される例では、会計処理データＤには、「チーズバーガー１個」、「ピクルス抜き」、「ハンバーガー１個」、「コーヒー１個」、「計 ４８０円」などの文字列の情報、改行やデータの終わりを示す制御コードなどが含まれている。
【００５８】
レシートプリンター５が、通信インターフェイス５１を介して、会計処理データＤを受信すると（図３：ステップＳＴ１）、会計処理データは、レシートプリンター５の制御部５０内の不図示のバッファー（制御部５０のＲＡＭの一部分）に、印刷されるまでの間、一時的に保持される。
【００５９】
一方、ラベルプリンター６の制御部６０は、ＵＳＢケーブル４を介して、会計処理データＤを受信する（図３：ステップＳＴ１１）。特別注文判別部６３は、制御部６０のＲＡＭに一時的に記憶保持される会計処理データＤを検索して、不揮発性メモリー６５に記憶保持されている各キーコードを含む文字列が含まれているか否かを検出する（図３：ステップＳＴ１２）。ここでは、キーコードを含む文字列として、「ピクルス抜き」が検出される。
【００６０】
特別注文判別部６３において、会計処理データＤが、キーコードを含む文字列を含むデータ、すなわち、特別注文の情報を含む会計処理データであると判別されると、当該会計処理データは、ラベルデータ生成部６４に引き渡される。ラベルデータ生成部６４は、会計処理データＤからキーコードを含む文字列を抽出して、ラベルデータを生成する（図３：ステップＳＴ１３）。すなわち、会計処理データＤから「ピクルス抜き」が抽出されるとともに、この文字列にデータの終わりを示す制御コード、例えば、記録紙Ｐ２の切断を指示するカットコマンドが付与されて、ラベルデータが生成される。
【００６１】
特別注文判別部６３において、会計処理データＤが、キーコードを含む文字列を含むデータであると判別されると、更に、照合データ生成部７２は、照合データを生成する（図３：ステップＳＴ１４）。ここでは、発行ごとに増加するシリアル番号が生成される。
【００６２】
ラベルデータ及び照合データが生成されると、制御部６０は、ヘッドドライバー６６、モータードライバー６７、カッタードライバー６８を駆動制御して、生成したラベルデータ及び照合データを記録紙Ｐ２に印刷し、印刷後の記録紙Ｐ２を切断する。切断された印刷後の記録紙片が、特注品ラベルＢとして発行される。（図３：ステップＳＴ１５）。本例の場合、ラベルプリンター６からは、「ピクルス抜き」（特別注文を表す情報ｂ１）及びシリアル番号（照合データｂ２）が印刷された特注品ラベルＢが発行される。
【００６３】
特注品ラベルＢのためのラベルデータの生成が終了すると、もしくはラベルデータの生成と同時に、制御部６０は、生成されたシリアル番号を通信インターフェイス６１、ＰＯＳレジスター２を介して、レシートプリンター５に送信する（図３：ステップＳＴ１６）。
【００６４】
レシートプリンター５の制御部５０は、通信インターフェイス５１を介してシリアル番号を受信すると、ライン型サーマルヘッド５４および紙送りモーター５５を駆動制御して、これより、一時的にバッファーに保持されている会計処理データＤと、シリアル番号が記録紙Ｐ１上に印刷され、レシートＡが発行される（図３：ステップＳＴ３）。発行されたレシートＡには、図１に示すように、「チーズバーガー１個」、「ピクルス抜き」（特別注文を表す情報ａ１）、「ハンバーガー１個」、「コーヒー１個」、「計 ４８０円」及びシリアル番号（照合データｂ２）が印刷される。
【００６５】
一方、ラベルプリンター６において、受信した会計処理データＤの中にキーコードを含む文字列が検出されなかった場合には、特注品ラベルＢの発行動作は行われない。しかし、このような場合であっても、レシートプリンター５のレシート発行のトリガーとするために、ダミーの照合データ（空データ）が、ラベルプリンター６からレシートプリンター５に送信される（図３：ステップＳＴ１６）。レシートプリンター５は、このダミーの照合データの受信（図３：ステップＳＴ２）をトリガーに、レシートの発行を行う（図３：ステップＳＴ３）が、この場合、レシートＡ上には、会計処理データＤのみが印刷され、シリアル番号（照合データｂ２）は印刷されない。
【００６６】
レシートＡの発行および特注品ラベルＢの発行が終了すると、レシートプリンター５およびラベルプリンター６は、夫々データ待ち状態に戻る。
【００６７】
（その他の実施の形態）
上記の実施の形態では、ラベルデータ生成部６４は会計処理データＤからキーコードを含む文字列を抽出してラベルデータとして生成しているが、会計処理データＤの全てをラベルデータとして生成することもできる。
【００６８】
また、会計処理データＤから合計金額を除いた部分を抽出してラベルデータとして生成することもできる。このようなラベル生成データに基づいて発行された特注品ラベルＢには、注文されている全ての商品の情報と特別注文の情報とが表示されている。したがって、例えば、注文された商品が全て詰め込まれたテイクアウト用の袋に貼り付けられることにより、その袋の中に特別注文の商品が含まれていることを示すことができる。よって、テイクアウト用の袋を顧客に渡す際に、商品の渡し間違いを防止することができる。
【００６９】
特別注文の情報は内容物の変更に限られるものではなく、「チーズ追加」などのエクストラ注文の情報であってもよいし、顧客が要望すると考えられる「常温」など温度に関する情報または等分の情報を示す「カット」などの情報であってもよい。
【００７０】
上記のオーダーエントリーシステム１はファーストフード店におけるオーダーエントリーシステムの一つの構成例である。本発明のレシート発行処理システム１０と連携可能なオーダーエントリーシステム１は、このオーダーエントリーシステムに限られるものではない。本発明のレシート発行処理システム１０は、上位機器からの会計処理データＤを受信してレシートを発行するレシートプリンター５に換えて、導入可能である。
【００７１】
一方、「ケチャップ有り」、「ピクルス抜き」、「マスタード抜き」、「レタス抜き」、「マヨネーズなし」、「マヨネーズ増量」、「マヨネーズ減量」などの特別注文の情報を示す文字列の中に含まれる、「有り」、「抜き」、「なし」、「増量」、「減量」をキーコードとすることも可能である。つまり、「抜き」、「増量」などのキーコードと「ピクルス」、「マスタード」、「レタス」などの内容物とセットで特別注文の情報を表す。この場合には、特別注文判別部６３は、受信した会計処理データＤの中にこれらのキーコードを含む文字列を検出すると、受信した会計処理データの中に特別注文の情報が含まれていると判別する。
【００７２】
また、レシートプリンター５で、発行されるものは、会計処理データＤが印刷されたレシートに限らず、例えば、オーダーされた特注品等の引換券であってもよい。特に特注品に作成に時間がかかる場合は、レシートとは別に、照合データが印刷された引換券を発行するように構成することも可能である。これにより、引換券と照合データが印刷された特注品と交換することにより、特注品の受け渡しにおける誤認を防止できる。
【符号の説明】
【００７３】
１…オーダーエントリーシステム、２…ＰＯＳレジスター、３，４…ＵＳＢケーブル、５…レシートプリンター、６…ラベルプリンター、７…ケーブル、８…ディスプレイ、９Ａ…客室、９Ｂ…厨房、１０…レシート発行処理システム、５０…制御部、５１…通信インターフェイス、５２，５３…ドライバー、５４…ライン型サーマルヘッド、５５…紙送りモーター、６０…制御部、６１…通信インターフェイス、６３…特別注文判別部、６４ラベルデータ生成部、６５…キーコード記憶保持部としての不揮発性メモリー、６６，６７，６８…ドライバー、６９…ライン型サーマルヘッド、７０…紙送りモーター、７１…記録紙カッター、７２…照合データ生成部、Ａ…レシート、Ｂ…特注品ラベル、Ｄ…会計処理データ、ａ１…印刷された特別注文の情報、ａ２…印刷された照合データ、ｂ１…印刷された特別注文の情報、ｂ２…印刷された照合データ。
【図１】
2014206953.tif 000003
【図２】
2014206953.tif 000004
【図３】
2014206953.tif 000005